(57)【要約】      （修正有）【課題】簡単な接合方式を使用したタッチパネル構造を提供する。【解決手段】第１の基部１１Ａ１、第２の基部１１Ａ２および接合層１１Ｄを備え、第１の基部１１Ａ１は、少なくとも一側に反射層１１Ｂが設けられ、第２の基部１１Ａ２には電気回路が搭載され、更に第１の導体が設けられ、反射層１１Ｂの周辺には少なくとも一つの発光部材１１Ｅが設けられて第２の基部１１Ａ２の電気回路と接続され、第２の基部１１Ａ２の電気回路はタッチパネル構造１１に物体が接触した位置の電気容量の変化を受信して物体の接触を判断し、それによって発光部材１１Ｅの点滅を制御する。【選択図】図４
0003139668.tif 000002
【実用新案登録請求の範囲】
【請求項１】
タッチ面となる第１の基部、第２の基部および接合層からなる積層構造からなり、
前記第１の基部は、少なくとも一側に反射層が設けられ、
前記第２の基部は、電気回路が搭載されると共にこれと接続してタッチ面に対する物体の接触により電気的容量の変化を生じるよう導体を配置し、前記反射層の外周に相対して該電気回路と接続された少なくとも一つの発光部材が設けられ、
前記第２の基部の電気回路は、タッチ面に物体が接触した位置に配置された導体に対する電気容量の変化を受信して前記物体の接触を検知することによって前記発光部材の点滅を制御し、
前記接合層は、前記第１の基部と第２の基部とを接合すると共に、前記反射層は、前記第１の基部よりも小さく、上側が前記第１の基部と貼合されて前記接合層内に固定されることを特徴とするタッチパネル。
【請求項２】
前記第１の基部内には、カラー粒子、蛍光粉またはラメ粉が含有されて、光線の照射により視認されることを特徴とする請求項１記載のタッチパネル。
【請求項３】
前記第１の基部下層または反射層表面に、カラー粒子、蛍光粉またはラメ粉が配置されて、光線の照射により視認されることを特徴とする請求項１記載のタッチパネル。
【請求項４】
エッチングまたはその他の反射図案によって反射光線の強弱の差異が形成され、図案または字体が形成されることを特徴とする請求項１記載のタッチパネル。
【請求項５】
前記発光部材は、ＬＥＤであることを特徴とする請求項１記載のタッチパネル。
【請求項６】
前記第１の基部表層には、エッチング処理が施されて手触り感を形成したことを特徴とする請求項１記載のタッチパネル。
【請求項７】
前記第１の基板の表層には、硬化処理が施され、耐摩耗性が向上したことを特徴とする請求項１記載のタッチパネル。
【請求項８】
前記第１の基部は、ポリカーボネートによって形成されたことを特徴とする請求項１記載のタッチパネル。
【請求項９】
前記第１の基部は、マイラーによって形成されたことを特徴とする請求項１記載のタッチパネル。
【請求項１０】
前記第１の基部は、ポリエステルフィルムによって形成されたことを特徴とする請求項１記載のタッチパネル。
【請求項１１】
前記第１の基部は、ポリカーボネートおよびマイラーによって形成されたことを特徴とする請求項１記載のタッチパネル。
【請求項１２】
前記第１の基部は、ＩＭＲ技術によって図案が表面およびプラスチック内にプリントされたことを特徴とする請求項１記載のタッチパネル。
【請求項１３】
前記第１の基部は、ガラスによって形成されたことを特徴とする請求項１記載のタッチパネル。
【請求項１４】
前記導体は、その配置によりと電気回路との組合わせによりＸ軸位置検出手段およびＹ軸位置検出手段、或いは単軸位置検出手段、又はキーボタンを構成することを特徴とする請求項１記載のタッチパネル。
【請求項１５】
前記第２の基部の電気回路には、プロセッサが設けられたことを特徴とする請求項１記載のタッチパネル。
【請求項１６】
前記第２の基部の電気回路には、プロセッサが接続されたことを特徴とする請求項１記載のタッチパネル。
【考案の詳細な説明】
【技術分野】
【０００１】
本考案は、タッチパネルの構造に関し、特に、簡単な接合方式を使用した外観がユニークなタッチパネル構造に関する。
【背景技術】
【０００２】
ＩＴおよび通信ネットワークの急速な発展に伴い、ＩＴ関連製品は徐々に個人にも普及しており、ノートブックパソコン、携帯電話、デジタルカメラおよびＰＤＡなどはいずれも急速な発展および成長を続けている。これらのＩＴ製品の多くにはタッチパネルが設けられ、手書き入力または機能選択の入力インターフェイスとして使用されている。
【０００３】
図１は、従来技術によるタッチパネル構造を示す断面図であり、マイラー板、プリント基板およびマイラー板とプリント基板とを接着する接着層（接合層）を備える。従来技術によるタッチパネル構造においてはマイラー板の表面のみに印刷をすることができ、各種模様はマイラー板上にしか設置できなかった。
【０００４】
図２は、他の従来技術によるタッチパネル構造を示す断面図であり、タッチパネル両側または一側にＬＥＤが設けられ、反射層（この反射層は反射板または点状の反射部であり、エッチングまたは反射図案によって形成される）によってＬＥＤの光線を導光層に平均に分散させる。導光層上方はエッチングによって光の散乱・屈折を更に増加させることができる。また、硬化処理を行なって導光層の耐磨耗性を高めることができる。導光層と反射層との間には接着層が必要であり、それによって導光層と反射層とが接着される。
【０００５】
従来技術によるタッチパネルは、基本的に検知層表面の絶縁層に各種図案を印刷できるだけであり、それ以外は外観に視覚効果を設けることができない。また、製造工程を簡単にすることができないという問題もあり、この従来技術の欠点を解決する必要があった。
【０００６】
本考案の考案者は上述の従来技術の各欠点に鑑み、長年に渡る研究を重ね、ついに本考案を案出した。
【特許文献１】特開２００４−２３５０１０号公報
【考案の開示】
【考案が解決しようとする課題】
【０００７】
本考案の第１の目的は、外観がユニークで、簡単な接合方式を使用したタッチパネル構造を提供することにある。
本考案の第２の目的は、製造工程が簡単であり、コストを低減できる（粘着層が不要）タッチパネル構造を提供することにある。
本考案の第３の目的は、導光層と反射層の間に気候または温度などが原因となって空気が進入し、検知精度が影響を受けるのを防止でき、歩留まりを高めることができるタッチパネル構造を提供することにある。
【課題を解決するための手段】
【０００８】
上述の課題を解決するために、本考案によるタッチパネル構造は、複数の基部上に形成され、電導性物体の接触に使用される。タッチパネル構造は、第１の基部、第２の基部、および接合層が重ねて構成される。第１の基部はその一側または両側に反射層を設けることができる（使用者が接触する表面に反射層が必要な場合は、特殊なエッチングによって形成され、それによって光の反射を制御する）。第２の基部は、電気回路を搭載し、更に、導体が配置されてそれに対する電気的容量変化を形成することにより接触位置を検知する。接合層は、上述の第１の基部と第２の基部とを接合する。反射層は第１の基部より小さく、上側が第１の基部と貼合され、接合層内に固定される。反射層の周辺には少なくとも一つの発光部材を設けて第２の基部の電気回路と接続される。第２の基部の電気回路は、タッチパネル構造に物体が接触した位置の電気容量の変化を受信して物体の接触を判断し、発光部材の点滅を制御する。
【０００９】
本考案によるタッチパネル構造は、好ましくは、第１の基部内にカラー粒子、蛍光粉またはラメ粉が加えられ、光線が照射されて特殊効果を生成する。
【００１０】
本考案によるタッチパネル構造は、好ましくは、第１の基部下層または反射層表面にカラー粒子、蛍光粉またはラメ粉が加えられ、光線が照射されて特殊効果を生成する。
【００１１】
本考案によるタッチパネル構造は、好ましくは、エッチングまたはその他の反射図案によって反射光線の強弱の差異が形成され、図案または字体が形成される。
【００１２】
本考案によるタッチパネル構造は、好ましくは、発光部材がＬＥＤである。
【００１３】
本考案によるタッチパネル構造は、好ましくは、第１の基部表層にエッチング処理が施され、手触り感が向上する。
【００１４】
本考案によるタッチパネル構造は、好ましくは、第１の基板の表層に硬化処理が施され、耐摩耗性が向上する。
【００１５】
本考案によるタッチパネル構造は、好ましくは、第１の基部がポリカーボネートによって構成される。
【００１６】
本考案によるタッチパネル構造は、好ましくは、第１の基部がマイラーによって構成される。
【００１７】
本考案によるタッチパネル構造は、好ましくは、第１の基部がポリエステルフィルムによって構成される。
【００１８】
本考案によるタッチパネル構造は、好ましくは、第１の基部がポリカーボネートおよびマイラーによって製造され、マイラーの原色は半透明であり、更に非透光性である遮蔽部分を設けることによって導光板からの光線は遮蔽されていない部分から放出される。
【００１９】
本考案によるタッチパネル構造は、好ましくは、第１の基部がＩＭＲ（Ｉｎ‐Ｍｏｌｄ  Ｄｅｃｏｒａｔｉｏｎ  ｂｙ  Ｒｏｌｌｅｒ  ａｃｃｏｍｐｌｉｓｈｅｓ  ｓｕｒｆａｃｅ  ｄｅｃｏｒａｔｉｏｎ  ａｆｔｅｒ  ｉｎｊｅｃｔｉｏｎ  ｐｒｏｃｅｓｓ）技術によって図案が表面およびプラスチック内にプリントされ、例えば表面のロゴがプリントされた部分は半透明の黒色材料であり、それ以外の部分は黒色の非透光性材料であり、光が照射されていないときは全面が黒色であるが、光が照射されたときロゴ形の光が半透明の黒色部分から浮かび上がる。
【００２０】
本考案によるタッチパネル構造は、好ましくは、第１の基部がガラスによって製造される。
【００２１】
本考案によるタッチパネル構造は、好ましくは、第１の導体がＸ軸位置検出手段およびＹ軸位置検出手段、或いは単軸位置検出手段（スクロールに使用される）、およびキーボタン（点）を備える。
【００２２】
本考案によるタッチパネル構造は、好ましくは、第２の基部の電気回路にプロセッサが整合される。
【００２３】
本考案によるタッチパネル構造は、好ましくは、第２の基部の電気回路にプロセッサが接続される。
【考案の効果】
【００２４】
本考案は、導光板および数種類の色のＬＥＤを用い、更に光源の拡散を補助する部材が設置されて色彩を各表面に均等に分散する。また、導光板の表層にエッチング処理を施して手触り感を形成し、表面の絶縁層を粘着する作業を省略できる。必要なときは導光板表面に硬化処理を施して耐磨耗性を高めることができる。
また、本考案は作業工程を簡略化する方法を提供し、従来技術においては導光板と反射層との間には両者を粘着する層が必要であるが、本考案においては導光板と反射層とを粘着する工程を省略でき、改良後の接合方式では従来技術と比較して工程が省略されることでコストが低減され（粘着剤が省略される）、歩留まりが向上する（導光板と反射層との間に気候または温度などが原因となって空気が進入して検知精度が影響を受けるのを防止できる）。
本考案ではＬＥＤの色彩を組み合わせるだけでなく、導光板にカラー粒子を加え、各種の光線と混合させてその他の効果を生成することができる。また、導光板下層または反射層表面に蛍光粉またはラメ粉を加え、様々な図案を形成することができ、光が照射されたとき図案を更に明瞭にしたり、夜光効果を生成したりでき、従来技術によるタッチパネルの固定観念を打破したユニークな外観である。
【考案を実施するための最良の形態】
【００２５】
本考案の目的、特徴および効果を示す実施例を図に沿って詳細に説明する。
【００２６】
図３は、本考案によるタッチパネル構造１１を検知ユニットとするタッチ入力システム１の応用形態を示す。タッチ入力システム１は、タッチパネル構造１１およびプロセッサ１２を備える。タッチパネル構造１１は、物体２１（指またはタッチペンなどの伝導性を有する物体）の接近または接触を検知（或いは検出または認知）する電気容量の変化を生成することができる。即ち、上述の物体はタッチパネル構造１１に設けられた少なくとも一つの検知位置の電気容量の変化を生成することができる。プロセッサ１２はタッチパネル構造１１と接続され、電気容量の変化を受信して物体の接触または／およびタッチパネル構造１１上での位置を判断する。
【００２７】
プロセッサ１２は更に、入力ユニット１２１、演算ユニット１２２およびベクトル処理ユニット１２３を備える。入力ユニットは１２１前述の電気容量変化データのセーブおよびロードする。演算ユニット１２２は、入力ユニット１２１と接続され、前述の電気容量変化のデータをデジタル化する。ベクトル処理ユニット１２３は演算ユニット１２２と接続され、デジタル化されたデータ（デジタル化データ）を処理して物体２１（図３を参照）がタッチパネル構造１１に接触した位置データを取得する。その位置データを本考案のタッチパネル構造１１と組み合わされたその他の装置またはシステム（コンピュータ、携帯電話、ＰＤＡなどまたは／およびそのディスプレイなど）に提供して利用することができ、例えば、これらの装置またはシステムの入出力（Ｉ／Ｏ）設備とされる入力ユニット１２１、演算ユニット１２２およびベクトル処理ユニット１２３はノイズ抑制作用を有することができ、それによってタッチパネル構造１１が感知することによって発生したノイズを排除することができる。
【００２８】
図４において、第１の基部１１Ａ１は導光板であり、第１の基部１１Ａ１の一側には反射層１１Ｂが設けられ、第２の基部１１Ａ２は電気回路を搭載する回路板とするか、または／および導体１１Ｃ（Ｘ軸位置検出１１Ｃ１または／およびＹ軸位置検出１１Ｃ２、図３を参照）を設け、第１の基部１１Ａ１と第２の基部１１Ａ２との間には接合層１１Ｄを接着する。反射層１１Ｂは第１の基部１１Ａ１より小さく、上側が第１の基部１１Ａ１に貼合され、接合層１１Ｄ内に固定される。反射層１１Ｂを固定する接着剤の製造工程は、従来技術と比較して簡素化されてコストが安く、第１の基部１１Ａ１と反射層１１Ｂとの間に気候または温度などが原因となって空気が進入し、検知精度が影響を受けるのを防止できる。
【００２９】
また、反射層１１Ｂの周辺には少なくとも一つの発光部材１１Ｅを設け、第２の基部１１Ａ２の電気回路またはプロセッサ１２と接続する。使用者が第１の基部１１Ａ１に接触することによって第１の基部１１Ａ１または／および接合層１１Ｄが導体１１Ｃ（Ｘ軸位置検出手段１１Ｃ１または／およびＹ軸位置検出手段１１Ｃ２）に接触して電気容量の変化が生成され、第２の基部１１Ａ２の電気回路または／およびプロセッサ１２が電気容量変化値を受信して発光部材１１Ｅの点滅を制御し、接触位置の違いに応じて点滅を制御する。また、反射層１１Ｂおよび第１の基部１１Ａ１によって発光部材１１Ｅの光線が反射または／および屈折される。発光部材１１Ｅは、ＬＥＤであって、様々な色の光源を含み、反射または／および屈折された後、表面に達し、タッチパネル構造の外観をユニークなものにする。第２の基部１１Ａ２の電気回路およびプロセッサ１２は整合することも、分離することもできる。
【００３０】
第１の基部１１Ａ１および第２の基部１１Ａ２はポリエステルフィルム、ガラス、ポリカーボネートまたはマイラーなど（これらに制限されない）の透光性材料とすることができる（これだけに制限されず、例えば第２の基部１１Ａ２を非透光性材料とすることもできる）。透光性および絶縁性を有する粘着剤として、例えば、市販の３Ｍ♯８１４２、４６７（登録商標）などを採用できるがこれらのみに制限されない。透光性を有する第１の導体として、例えばＩＴＯ（Ｉｎｄｉｕｍ−Ｔｉｎ−Ｏｘｉｄｅ）、透明な導電性プラスチック、銀、金またはアルミニウムなどを採用できるがこれらのみに制限されない。
【００３１】
図５は、本考案によるタッチパネル構造の一実施例を示し、反射層３１Ｂの上下両側が接合層３１Ｄによって被覆され、左右両側は通気性がないので気泡をスムーズに排出できる。
【００３２】
図６は、本考案によるタッチパネル構造の一実施例を示し、反射層４１Ｂの四辺は全て第１の基部４１Ａ１および接合層４１Ｄより小さく、無気泡が保持される。
【００３３】
図７は、本考案のタッチパネル構造の応用形態を示し、会社のロゴまたは名称を発光表示したり、メール図案、ファイル管理者または特定名称などを図示したりすることができる。
【００３４】
図８は、本考案のタッチパネル構造の応用形態を示し、エッチングまたはその他の反射体によって反射光線の差異を形成し、それによって図案または字体を形成することができる。
【００３５】
以上の詳細な説明は本考案の実施例を示すものであり、本考案を制限するものではなく、本考案の主旨を逸脱しない範囲における変更または修飾は全て本考案に含まれる。
【図面の簡単な説明】
【００３６】
【図１】従来技術によるタッチパネル構造を示す断面図である。
【図２】従来技術によるタッチパネル構造を示す断面図である。
【図３】本考案によるタッチパネル構造の一応用形態を示す模式図である。
【図４】本考案によるタッチパネル構造の一実施例を示す断面図である。
【図５】本考案によるタッチパネル構造の一実施例を示す断面図である。
【図６】本考案によるタッチパネル構造の一実施例を示す模式図である。
【図７】本考案によるタッチパネル構造の一応用形態を示す模式図である。
【図８】本考案によるタッチパネル構造の一応用形態を示す模式図である。
【符号の説明】
【００３７】
１  タッチ入力システム
１１  タッチパネル構造
１１Ａ１、４１Ａ１  第１の基部
１１Ａ２  第２の基部
１１Ｂ、３１Ｂ、４１Ｂ  反射層
１１Ｃ  第１の導体
１１Ｃ１  Ｘ軸位置検出手段
１１Ｃ２  Ｙ軸位置検出手段
１１Ｄ、３１Ｄ、４１Ｄ  接合層
１１Ｅ  発光部材
１２  プロセッサ
１２１  入力ユニット
１２２  演算ユニット
１２３  ベクトル処理ユニット
２１  物体
【図１】
0003139668.tif 000003
【図２】
0003139668.tif 000004
【図３】
0003139668.tif 000005
【図４】
0003139668.tif 000006
【図５】
0003139668.tif 000007
【図６】
0003139668.tif 000008
【図７】
0003139668.tif 000009
【図８】
0003139668.tif 000010
【手続補正書】
【提出日】平成19年12月6日(2007.12.6)
【手続補正２】
【補正対象書類名】図面
【補正対象項目名】図７
【補正方法】変更
【補正の内容】
【図７】
0003139668.tif 000011